(57)【要約】【課題】画像形成装置に装着されたコンテナが非純正品であっても、ジョブ実行時にエラーが発生するのを抑制する。【解決手段】画像形成装置は、装着されたコンテナのトナーを用いて印刷ジョブを実行する印刷部と、コンテナから所定情報を読み取る読取部と、所定情報に基づき、コンテナが純正品か非純正品かを判断する制御部と、操作表示部と、を備え、制御部は、非純正品が装着された状態で印刷ジョブを実行するとき、予め定められた設定項目の設定値の入力を受け付けるための設定画面を操作表示部に表示させ、設定画面に入力された設定値に基づき印刷部のジョブ実行時の動作を設定する。【選択図】図５
2018017894.tif 000002
【特許請求の範囲】
【請求項１】
画像形成装置に対して着脱可能に構成され、トナーを収容するコンテナと、
前記画像形成装置に装着された前記コンテナに収容されたトナーを用いてトナー像を形成し、用紙に前記トナー像を転写する印刷ジョブを実行する印刷部と、
前記画像形成装置に装着された前記コンテナに設けられた記憶媒体から所定情報を読み取る読取部と、
前記印刷部の動作を制御するとともに、前記読取部により読み取られた前記所定情報に基づき、前記画像形成装置に装着された前記コンテナが純正品か非純正品かを判断する制御部と、
画面を表示するとともに、ユーザーから操作を受け付ける操作表示部と、を備え、
前記制御部は、前記画像形成装置に前記非純正品が装着された状態で前記印刷ジョブを実行するとき、予め定められた設定項目の設定値の入力をユーザーから受け付けるための設定画面を前記操作表示部に表示させ、前記設定画面に入力された前記設定値に基づき前記印刷部のジョブ実行時の動作を設定することを特徴とする画像形成装置。
【請求項２】
前記制御部は、前記設定画面に入力された前記設定値に基づき前記印刷部のジョブ実行時の動作を設定した後、テスト印刷を行うか否かを選択する操作の受け付けを前記操作表示部に行わせ、前記テスト印刷を行う旨の選択を前記操作表示部が受け付けた場合、前記テスト印刷を前記印刷部に実行させることを特徴とする請求項１に記載の画像形成装置。
【請求項３】
前記制御部は、複数の前記設定項目にそれぞれ対応する複数の前記設定画面を予め定められた表示順で前記操作表示部に表示させ、前記複数の設定画面にそれぞれ入力された複数の前記設定値に基づき前記印刷部のジョブ実行時の動作を設定することを特徴とする請求項１または２に記載の画像形成装置。
【請求項４】
報知を行う報知部と、
情報を記憶する記憶部と、を備え、
前記制御部は、前記非純正品の装着期間中に印刷した印刷枚数を前記記憶部に記憶させるとともに、前記非純正品の装着期間中に発生した所定エラーの発生回数を前記記憶部に記憶させ、
前記制御部は、前記非純正品の装着期間中の時点である所定時点になったとき、前記画像形成装置に前記非純正品が装着された装着時点から前記所定時点までの前記印刷枚数に対する前記所定エラーの前記発生回数の比率を前記非純正品のコンテナに収容されたトナー使用時の不良率として求め、前記非純正品のコンテナに収容されたトナー使用時の前記不良率を前記報知部に報知させることを特徴とする請求項１〜３のいずれか１項に記載の画像形成装置。
【請求項５】
前記記憶部は、前記純正品の装着期間中に印刷した累積印刷枚数を記憶するとともに、前記純正品の装着期間中に発生した前記所定エラーの累積発生回数を記憶し、
前記制御部は、前記累積印刷枚数に対する前記累積発生回数の比率を前記純正品のトナー使用時の不良率として求め、前記非純正品のコンテナに収容されたトナー使用時の前記不良率を前記報知部に報知させるときに、前記純正品のコンテナに収容されたトナー使用時の前記不良率も前記報知部に報知させることを特徴とする請求項４に記載の画像形成装置。
【請求項６】
前記所定エラーがジャムエラーであることを特徴とする請求項４または５に記載の画像形成装置。
【請求項７】
前記印刷部は、前記トナー像が転写された用紙を加熱して用紙に前記トナー像を定着させる定着部を含み、
前記制御部は、前記画像形成装置に前記非純正品が装着された状態で前記印刷ジョブを実行するとき、少なくとも、前記定着部により用紙を加熱するときの定着温度の入力をユーザーから受け付けるための温度設定画面を前記設定画面として前記操作表示部に表示させることを特徴とする請求項１〜６のいずれか１項に記載の画像形成装置。
【発明の詳細な説明】
【技術分野】
【０００１】
本発明は、印刷ジョブの実行が可能な画像形成装置に関する。
【背景技術】
【０００２】
従来、印刷すべき画像の画像データに基づきトナー像を形成し、用紙にトナー像を転写する画像形成装置が知られている。このような画像形成装置には、トナーを収容するコンテナが装着される。そして、印刷ジョブの実行時には、コンテナに収容されたトナーが用いられる。
【０００３】
コンテナ内のトナーは印刷ジョブの実行によって消費され、最終的にコンテナ内のトナーは無くなる。このため、コンテナは交換可能となっており、コンテナ内のトナーが無くなったときには、空のコンテナから、トナーが充填されたコンテナに交換される。
【０００４】
ところで、コンテナの交換時に、非純正品のコンテナが画像形成装置に装着される場合がある。このため、画像形成装置に装着されたコンテナが純正品か非純正品かを判別する技術が従来提案されている。
【０００５】
たとえば、特許文献１の画像形成装置は、画像形成装置にコンテナが装着されたとき、画像形成装置に装着されたコンテナのＲＦＩＤタグとの間で通信を行い、ＲＦＩＤタグから送信された信号に基づき、画像形成装置に装着されたコンテナが純正品か非純正品かを判別する。そして、特許文献１の画像形成装置は、画像形成装置に装着されたコンテナが非純正品であるとき、警告を報知する。
【先行技術文献】
【特許文献】
【０００６】
【特許文献１】特開２０１１−２８０１７号公報
【発明の概要】
【発明が解決しようとする課題】
【０００７】
特許文献１では、画像形成装置に装着されたコンテナが非純正品であった場合に警告が報知される。しかし、ユーザーによっては、警告が報知されても、非純正品のコンテナをそのまま使用したい場合がある。この場合には、画像形成装置に非純正品のコンテナが装着された状態で印刷ジョブが実行される。
【０００８】
ここで、通常、画像形成装置は純正トナーの仕様に適した条件で動作するよう構成される。すなわち、画像形成装置に装着されたコンテナが純正品か非純正品かにかかわらず、画像形成装置は純正トナーの仕様に適した条件で動作する。したがって、画像形成装置に非純正品のコンテナが装着された状態で印刷ジョブを実行すると、画像形成装置が非純正トナーの仕様に適した条件で動作しないことに起因するエラー（ジャムエラーなど）が発生する、という不都合が生じ易くなる。
【０００９】
本発明は、上記課題を解決するためになされたものであり、画像形成装置に装着されたコンテナが非純正品であっても、ジョブ実行時にエラーが発生するのを抑制することが可能な画像形成装置を提供することを目的とする。
【課題を解決するための手段】
【００１０】
上記目的を達成するために、本発明の画像形成装置は、画像形成装置に対して着脱可能に構成され、トナーを収容するコンテナと、前記画像形成装置に装着された前記コンテナに収容されたトナーを用いてトナー像を形成し、用紙に前記トナー像を転写する印刷ジョブを実行する印刷部と、前記画像形成装置に装着された前記コンテナに設けられた記憶媒体から所定情報を読み取る読取部と、前記印刷部の動作を制御するとともに、前記読取部により読み取られた前記所定情報に基づき、前記画像形成装置に装着された前記コンテナが純正品か非純正品かを判断する制御部と、画面を表示するとともに、ユーザーから操作を受け付ける操作表示部と、を備える。そして、前記制御部は、前記画像形成装置に前記非純正品が装着された状態で前記印刷ジョブを実行するとき、予め定められた設定項目の設定値の入力をユーザーから受け付けるための設定画面を前記操作表示部に表示させ、前記設定画面に入力された設定値に基づき前記印刷部のジョブ実行時の動作を設定する。
【００１１】
本発明の構成では、画像形成装置に非純正品を装着した状態で印刷ジョブを実行するとき、操作表示部に設定画面が表示される。そして、操作表示部に表示された設定画面に設定値を入力すると、設定画面に入力した設定値に基づき印刷部のジョブ実行時の動作が設定される。すなわち、非純正品のトナーの仕様に適した条件で印刷部が動作するように、印刷部のジョブ実行時の動作を設定することができる。これにより、画像形成装置に装着されたコンテナが非純正品であっても、ジョブ実行時にエラーが発生するのを抑制することができる。
【発明の効果】
【００１２】
本発明の構成では、画像形成装置に装着されたコンテナが非純正品であっても、ジョブ実行時にエラーが発生するのを抑制することができる。
【図面の簡単な説明】
【００１３】
【図１】本発明の一実施形態による画像形成装置を示す概略図
【図２】本発明の一実施形態による画像形成装置を示すブロック図
【図３】本発明の一実施形態による画像形成装置に表示される設定画面の遷移を示す図
【図４】本発明の一実施形態による画像形成装置に表示される温度設定画面の図
【図５】本発明の一実施形態による画像形成装置において印刷ジョブの実行に際して行われる処理の流れを示すフローチャート
【図６】本発明の一実施形態による画像形成装置に表示される選択画面（非純正トナー用の印刷設定を行うか否かの選択を受け付けるための画面）を示す図
【図７】本発明の一実施形態による画像形成装置に表示される選択画面（テスト印刷を行うか否かの選択を受け付けるための画面）を示す図
【図８】本発明の一実施形態による画像形成装置に表示される警告画面を示す図
【図９】本発明の一実施形態による画像形成装置に表示される報知画面を示す図
【発明を実施するための形態】
【００１４】
＜画像形成装置の全体構成＞
図１に示すように、本実施形態の画像形成装置１００は、画像読取部１および印刷部２を備える。画像読取部１は、原稿を光学的に読み取って原稿の画像データを生成する。印刷部２は、用紙搬送路（図１では破線で示す）に沿って用紙Ｐを搬送し、印刷すべき画像の画像データに基づきトナー像を形成する。そして、印刷部２は、搬送中の用紙Ｐにトナー像を印刷（転写）する。
【００１５】
印刷部２は、給紙部３、用紙搬送部４、画像形成部５および定着部６によって構成される。給紙部３は、ピックアップローラーおよび給紙ローラー対を含み、用紙搬送路に用紙Ｐを給紙する。用紙搬送部４は、用紙搬送路に設けられた搬送ローラー対を複数含み、用紙搬送路に沿って用紙Ｐを搬送する。
【００１６】
画像形成部５は、感光体ドラム５１、帯電装置５２、露光装置５３、現像装置５４および転写ローラー５５を含む。印刷ジョブの実行時には、帯電装置５２が感光体ドラム５１を帯電させる。また、露光装置５３は、感光体ドラム５１を露光し、印刷すべき画像の画像データに基づく静電潜像を感光体ドラム５１に形成する。現像装置５４は、感光体ドラム５１に向けてトナーを供給し、静電潜像をトナー像に現像する。転写ローラー５５は、感光体ドラム５１との間で転写ニップを形成し、転写ニップを通過する用紙Ｐにトナー像を転写する。
【００１７】
画像形成部５の現像装置５４にはトナーが収容されるが、現像装置５４内のトナーは印刷ジョブの実行によって消費されていく。したがって、現像装置５４へのトナー補給が必要となる。このため、画像形成装置１００には、補給用のトナーを収容するコンテナ２００が装着される。そして、現像装置５４内のトナー残量が予め定められた基準量を下回ると、コンテナ２００から現像装置５４へのトナー補給が行われる。
【００１８】
コンテナ２００は、画像形成装置１００に対して着脱可能（交換可能）である。たとえば、画像形成装置１００の外装カバーの一部が開閉カバー（図示せず）となっており、この開閉カバーが開けられることにより、コンテナ２００を装着するためのコンテナ装着スペースが露出される。そして、画像形成装置１００に装着されたコンテナ２００内のトナーが無くなったときには、開閉カバーが開けられ、コンテナ２００が交換される。
【００１９】
定着部６は、加熱ローラー６１と加圧ローラー６２とからなる定着ローラー対を含む。加熱ローラー６１は、ヒーター６３を内蔵する。加圧ローラー６２は、加熱ローラー６１に圧接し、加熱ローラー６１との間で定着ニップを形成する。そして、定着部６は、定着ニップを通過する用紙Ｐを加熱および加圧することにより、用紙Ｐにトナー像を定着させる。
【００２０】
また、画像形成装置１００は、操作パネル７を備える。操作パネル７は、画面を表示するとともに、ユーザーから操作を受け付ける。また、操作パネル７は、ユーザーに対する報知を行う（たとえば、報知を行うための画面を表示する）。なお、操作パネル７は、「操作表示部」および「報知部」に相当する。
【００２１】
操作パネル７は、タッチパネルディスプレイ７１やハードウェアキー７２を含む。タッチパネルディスプレイ７１は、ソフトウェアキーなどを配した画面を表示し、画面に対する操作をユーザーから受け付ける。ハードウェアキー７２は複数設けられる。操作パネル７に設けられるハードウェアキー７２としては、一例を挙げると、印刷ジョブの実行指示をユーザーから受け付けるためのスタートキーなどがある。
【００２２】
また、図２に示すように、画像形成装置１００は、制御部１１０、記憶部１２０および通信部１３０を備える。制御部１１０は、各種処理を実行するＣＰＵ１１１や、ＣＰＵ１１１を動作させるための制御用プログラムを記憶するメモリー１１２などを含む。
【００２３】
制御部１１０には、画像読取部１および印刷部２が接続される。そして、制御部１１０は、画像読取部１の読取動作を制御するとともに、印刷部２の印刷動作を制御する。たとえば、制御部１１０は、印刷部２の印刷動作の制御として、定着部６により用紙Ｐを加熱するときの定着温度の制御を行う。定着温度の制御では、定着部６を温めるためのヒーター６３への通電のオンオフの切り替えが制御部１１０によって行われる。これにより、定着部６の定着温度が予め定められた温度に調整される。
【００２４】
また、制御部１１０には、操作パネル７が接続される。そして、制御部１１０は、タッチパネルディスプレイ７１の表示動作を制御する。さらに、制御部１１０は、タッチパネルディスプレイ７１（ソフトウェアキー）に対するタッチ操作やハードウェアキー７２に対する押下操作を検知する。
【００２５】
記憶部１２０は、ＲＯＭ（ＥＥＰＲＯＭなど）やＨＤＤなどの不揮発性の記憶デバイスを含む。制御部１１０は、記憶部１２０に接続され、記憶部１２０からの情報の読み出しや記憶部１２０への情報の書き込みを行う。たとえば、記憶部１２０には、印刷した用紙Ｐの印刷枚数が記憶される。また、記憶部１２０には、ジョブ実行時に発生したジャムエラー（紙詰まり）の発生回数が記憶される。なお、ジャムエラーが発生したか否かのジャム検知は制御部１１０によって行われる。制御部１１０は、ジャムエラーの発生を検知すると、ジャムエラーの発生回数をカウントアップする。
【００２６】
ジャム検知を行うため、制御部１１０には搬送センサーＦＳが接続される。搬送センサーＦＳは、用紙搬送路の予め定められた位置を検知位置とし、検知位置における用紙Ｐの有無に応じて出力を変化させる。たとえば、搬送センサーＦＳは複数設けられ、用紙搬送路の複数の位置が搬送センサーＦＳの検知位置とされる。
【００２７】
制御部１１０は、ジャム検知を行うとき、複数の搬送センサーＦＳのうち或る搬送センサーＦＳ（ここでは第１センサーとする）の検知位置において用紙Ｐの先端到達を検知してから計時を開始する。そして、制御部１１０は、第１センサーの検知位置において用紙Ｐの先端到達を検知してから所定時間が経過したときに、第１センサーよりも用紙搬送方向下流側にある搬送センサーＦＳ（ここでは第２センサーとする）の検知位置に用紙Ｐの先端が到達したか否かを確認する。その結果、用紙Ｐの先端到達を確認できなければ、制御部１１０は、ジャムエラーが発生したと判断する。この場合の所定時間は、第１センサーの検知位置と第２センサーの検知位置との間を用紙Ｐが進むのに要する時間であり、第１センサーの検知位置と第２センサーの検知位置との間の距離および用紙搬送速度に基づき予め算出することができる時間である。
【００２８】
あるいは、制御部１１０は、複数の搬送センサーＦＳのうち或る搬送センサーＦＳの検知位置において用紙Ｐの先端到達を検知してから、所定時間が経過しても同じ検知位置において用紙Ｐの後端通過を検知できなければ、ジャムエラーが発生したと判断する。この場合の所定時間は、或る搬送センサーＦＳの検知位置に用紙Ｐの先端が到達してから同じ検知位置を用紙Ｐの後端が通過するのに要する時間であり、用紙サイズ（搬送方向長さ）および用紙搬送速度に基づき予め算出することができる時間である。
【００２９】
通信部１３０は、通信回路やメモリー、通信用コネクターを含む。制御部１１０は、通信部１３０に接続され、通信部１３０を介して、情報端末３００と通信する。たとえば、画像形成装置１００には、スマートフォンやタブレット端末、パーソナルコンピューターなどが通信可能に接続される。
【００３０】
＜コンテナの純正／非純正の判別＞
図２に示すように、コンテナ２００には、記憶媒体としてのＲＦＩＤタグ２０１が設けられる。ＲＦＩＤタグ２０１には、対応するコンテナ２００を特定するための識別情報（たとえば、製造番号）などが格納される。このＲＦＩＤタグ２０１との間で通信を行うため、画像形成装置１００はリーダーライター１４０を備える。なお、リーダーライター１４０は「読取部」に相当する。
【００３１】
リーダーライター１４０は、制御部１１０と接続され、制御部１１０から指示を受け、ＲＦＩＤタグ２０１との間で通信を行う。たとえば、リーダーライター１４０は、ＲＦＩＤタグ２０１から読み取った情報を制御部１１０に送信する。また、リーダーライター１４０は、制御部１１０から受け取った情報をＲＦＩＤタグ２０１に書き込む。
【００３２】
ここで、制御部１１０は、画像形成装置１００に装着されたコンテナ２００が純正品か非純正品かを判別するコンテナ判別処理を行う。このコンテナ判別処理は、画像形成装置１００にコンテナ２００が装着されたとき（画像形成装置１００に装着されているコンテナ２００が別のコンテナ２００に交換されたとき）に行われる。
【００３３】
たとえば、画像形成装置１００には、画像形成装置１００にコンテナ２００が装着されたか否かを検知するための検知部１５０が設けられる。そして、制御部１１０は、検知部１５０の出力に基づき画像形成装置１００にコンテナ２００が装着されたことを検知すると、コンテナ判別処理を行う。
【００３４】
なお、コンテナ２００を装着（交換）するときには、コンテナ装着スペースを露出させるため、開閉カバーが開けられる。そして、コンテナ２００が装着されると開閉カバーが閉じられる。このため、開閉カバーの開閉を検知するためのセンサーを検知部１５０として設け、開閉カバーが開状態から閉状態になったとき、画像形成装置１００にコンテナ２００が装着されたと制御部１１０が判断するよう構成してもよい。あるいは、コンテナ２００がコンテナ装着スペースに装着されているときと装着されていないときとで出力を変化させるセンサーを検知部１５０として用いてもよい。
【００３５】
制御部１１０は、コンテナ判別処理を行うとき、リーダーライター１４０を介して、画像形成装置１００に装着されたコンテナ２００のＲＦＩＤタグ２０１から所定情報を取得する。そして、制御部１１０は、所定情報に基づき、画像形成装置１００に装着されたコンテナ２００が純正品か非純正品かを判断する。
【００３６】
たとえば、制御部１１０は、ＲＦＩＤタグ２０１から、識別情報と判別情報とを所定情報として取得する。なお、判別情報は、識別情報に対して所定の演算処理を行うことにより得られる値である。その後、制御部１１０は、ＲＦＩＤタグ２０１から取得した識別情報に対して所定の演算処理を行う。そして、制御部１１０は、所定の演算処理によって得られた値とＲＦＩＤタグ２０１から取得した判別情報とが一致していれば、画像形成装置１００に装着されたコンテナ２００が純正品であると判断し、一致していなければ、画像形成装置１００に装着されたコンテナ２００が非純正品であると判断する。また、制御部１１０は、画像形成装置１００に装着されたコンテナ２００から所定情報を読み取ることができなかった場合、画像形成装置１００に装着されたコンテナ２００が非純正品であると判断する。
【００３７】
＜印刷部の動作設定＞
制御部１１０は、印刷ジョブを実行するとき、印刷部２の動作設定を行う。たとえば、定着部６の定着温度や、画像形成部５の各種ローラーへの印加電圧（たとえば、転写ローラー５５に印加する転写電圧）など、種々の設定項目の設定値が制御部１１０によって設定される。なお、ここで挙げた設定項目は一例であり、印刷ジョブの実行時に設定すべき設定項目は他にも存在する。そして、通常、制御部１１０は、これら設定項目の設定値を純正トナー（純正品のコンテナ２００に収容されたトナー）の仕様に適したデフォルト値に設定する。
【００３８】
ここで、非純正トナー（非純正品のコンテナ２００に収容されたトナー）を用いて印刷ジョブを実行するとき、印刷部２をデフォルトの設定で動作させると、画像形成装置１００の内部におけるトナーの飛散量が増大するなど、種々の不都合が生じ得る。たとえば、画像形成装置１００の内部におけるトナーの飛散量が増大した場合には、用紙Ｐの搬送を担うローラー部材に付着するトナーが増大し、用紙Ｐがローラー部材に対して滑り易くなる。その結果、ジャムエラーの発生頻度が高くなり、生産性が低下してしまう。また、画質が低下する場合もある。
【００３９】
このため、制御部１１０は、画像形成装置１００に非純正品のコンテナ２００が装着された状態で印刷ジョブを実行するとき、予め定められた複数の設定項目の設定値の入力受付を操作パネル７に行わせる。このとき、操作パネル７は、複数の設定項目にそれぞれ対応する複数の設定画面７００（図３参照）を予め定められた表示順で１画面ずつ表示する。これにより、各設定項目を抜け漏れなく設定することができる。複数の設定項目のそれぞれについて設定値を入力する入力操作を操作パネル７がユーザーから受け付けた後、制御部１１０は、複数の設定画面７００にそれぞれ入力された複数の設定項目の設定値に基づき、印刷部２のジョブ実行時の動作を設定する。
【００４０】
たとえば、図３に示すように、設定画面７００には、次へキーＮＫが配される。制御部１１０は、次へキーＮＫに対するタッチ操作を検知すると、現在表示中の設定画面７００（表示順がＮ番目の画面）よりも表示順が１つ後の設定画面７００（表示順がＮ＋１番目の画面）を操作パネル７に表示させる。これにより、複数の設定画面７００のそれぞれに対してユーザー所望の設定値を入力することができる。なお、制御部１１０は、戻るキーＢＫに対するタッチ操作を検知すると、現在表示中の設定画面７００よりも表示順が１つ前の設定画面７００を操作パネル７に表示させる。
【００４１】
画像形成装置１００に非純正品のコンテナ２００が装着された状態で印刷ジョブを実行するときに、どのような設定項目の設定値の入力をユーザーから受け付けるかについてはメーカーによって予め定められ、非純正トナー用設定項目として記憶部１２０に記憶される。特に限定されないが、定着部６の定着温度などの入力受付が行われてもよい。また、画像形成部５の各種ローラーへの印加電圧などの入力受付が行われてもよい。
【００４２】
たとえば、定着部６の定着温度の入力受付では、図４に示すような温度設定画面７０１が設定画面７００として表示される。温度設定画面７０１には、複数の温度（設定値）が選択肢として表示される。そして、温度設定画面７０１の画面内のいずれかの選択肢をタッチする操作を行うことにより、タッチした選択肢に対応する温度を定着部６の定着温度として入力することができる。
【００４３】
以下に、図５に示すフローチャートを参照して、印刷ジョブを実行するときの処理の流れについて説明する。図５に示すフローチャートは、印刷ジョブの実行に際し、制御部１１０が印刷部２のジョブ実行時の動作を設定するときにスタートする。
【００４４】
ステップＳ１において、制御部１１０は、画像形成装置１００に装着されているコンテナ２００が非純正品であるか否かを判断する。その結果、非純正品のコンテナ２００が装着されていると制御部１１０が判断した場合には、ステップＳ２に移行する。
【００４５】
ステップＳ２において、制御部１１０は、非純正トナー用の印刷設定を行うか否かの選択受付を操作パネル７に行わせる。そして、制御部１１０は、非純正トナー用の印刷設定を行う旨の指示を受け付けたか否かを判断する。たとえば、操作パネル７は、図６に示すような選択画面７１０を表示し、非純正トナー用の印刷設定を行うか否かの選択をユーザーから受け付ける。選択画面７１０には、画像形成装置１００に現在装着されているコンテナ２００が非純正品である旨のメッセージＭＧ１１が配される。さらに、選択画面７１０には、選択キーＳＫ１１およびＳＫ１２が配される。選択キーＳＫ１１は、非純正トナー用の印刷設定を行う旨の指示を受け付けるためのソフトウェアキーであり、選択キーＳＫ１２は、非純正トナー用の印刷設定を行わない旨の指示を受け付けるためのソフトウェアキーである。
【００４６】
図５に戻り、ステップＳ２において、非純正トナー用の印刷設定を行う旨の指示を受け付けた（選択キーＳＫ１１に対するタッチ操作を検知した）と制御部１１０が判断した場合には、ステップＳ３に移行する。
【００４７】
ステップＳ３において、制御部１１０は、非純正トナー用の設定項目の設定値の入力受付を操作パネル７に行わせる（図３参照）。すなわち、まず、操作パネル７は、複数の設定画面７００のうち、表示順が１番目の設定画面７００を表示し、当該表示した設定画面７００に対応する設定項目の設定値の入力をユーザーから受け付ける。その後、現在表示中の設定画面７００の次へキーＮＫがタッチされると、操作パネル７は、表示順が２番目の設定画面７００を表示し、当該表示した設定画面７００に対応する設定項目の設定値の入力をユーザーから受け付ける。以降、操作パネル７は、次へキーＮＫがタッチされる毎に、表示順に従って、設定画面７００を切り替える（設定値の入力を受け付ける設定項目を切り替える）。
【００４８】
ステップＳ４において、制御部１１０は、非純正トナー用の設定項目の設定値の入力受付が全て終了したか否かを判断する。言い換えると、制御部１１０は、表示順が最後の設定画面７００の次へキーＮＫに対する操作が行われたか否かを判断する。その結果、非純正トナー用の設定項目の設定値の入力受付が全て終了したと制御部１１０が判断した場合には、ステップＳ５に移行し、設定値の入力を受け付けるべき非純正トナー用の設定項目が残っていると制御部１１０が判断した場合には、ステップＳ３に移行する。
【００４９】
ステップＳ５において、制御部１１０は、ユーザーにより入力された設定値（入力値）に基づき、印刷部２のジョブ実行時の動作を設定する。すなわち、制御部１１０は、非純正トナー用の設定項目の設定値を入力値に設定する。その後、ステップＳ６に移行する。
【００５０】
ステップＳ６において、制御部１１０は、テスト印刷を行うか否かの選択受付を操作パネル７に行わせる。そして、制御部１１０は、テスト印刷を行う旨の指示を受け付けたか否かを判断する。たとえば、操作パネル７は、図７に示すような選択画面７２０を表示し、テスト印刷を行うか否かの選択をユーザーから受け付ける。選択画面７２０には、選択キーＳＫ２１およびＳＫ２２が配される。選択キーＳＫ２１は、テスト印刷を行う旨の指示を受け付けるためのソフトウェアキーであり、選択キーＳＫ２２は、テスト印刷を行わない旨の指示を受け付けるためのソフトウェアキーである。
【００５１】
図５に戻り、ステップＳ６において、テスト印刷を行う旨の指示を受け付けた（選択キーＳＫ２１に対するタッチ操作を検知した）と制御部１１０が判断した場合には、ステップＳ７に移行する。
【００５２】
ステップＳ７において、制御部１１０は、印刷部２にテスト印刷を実行させる。たとえば、テスト印刷では、予め定められたテスト用画像データに基づく画像の用紙Ｐへの印刷が行われる。その後、ステップＳ８に移行する。
【００５３】
ステップＳ８において、制御部１１０は、非純正トナー用の印刷設定を再度行うか否かの選択受付を操作パネル７に行わせる。そして、制御部１１０は、非純正トナー用の印刷設定を再度行う旨の指示を受け付けたか否かを判断する。その結果、非純正トナー用の印刷設定を再度行う旨の指示を受け付けたと制御部１１０が判断した場合には、ステップＳ３に移行する。ステップＳ３に移行すると、制御部１１０は、非純正トナー用の設定項目の設定値の入力受付を操作パネル７に再度行わせる。なお、非純正トナー用の印刷設定を再度行う場合にも、操作パネル７は、表示順に従って、複数の設定画面７００を順次表示する。
【００５４】
ステップＳ８において、非純正トナー用の印刷設定を行わない旨の指示を受け付けたと制御部１１０が判断した場合には、ステップＳ９に移行する。ステップＳ９において、制御部１１０は、印刷部２に印刷ジョブを実行させる。なお、ステップＳ６において、テスト印刷を行わない旨の指示を受け付けた（選択キーＳＫ２２に対するタッチ操作を検知した）と制御部１１０が判断した場合にも、ステップＳ９に移行する。さらに、ステップＳ１において、非純正品のコンテナ２００が装着されていない（純正品のコンテナ２００が装着されている）と制御部１１０が判断した場合にも、ステップＳ９に移行する。
【００５５】
ステップＳ２において、非純正トナー用の印刷設定を行わない旨の指示を受け付けた（選択キーＳＫ１２に対するタッチ操作を検知した）と制御部１１０が判断した場合には、ステップＳ１０に移行する。
【００５６】
ステップＳ１０において、制御部１１０は、操作パネル７に予め定められた警告を報知させる。その後、ステップＳ１１に移行する。たとえば、操作パネル７は、図８に示すような警告画面７３０を表示する。警告画面７３０には、非純正トナーを用いて印刷ジョブを実行する旨や、エラーが発生する恐れがある旨のメッセージＭＧ３１が配される。
【００５７】
図５に戻り、ステップＳ１１において、制御部１１０は、非純正トナー用の設定項目の設定値をデフォルト値に設定する。その後、ステップＳ６に移行する。
【００５８】
なお、図５に示すフローチャートにおいて、ステップＳ２、Ｓ１０およびＳ１１の処理を省略してもよい。すなわち、画像形成装置１００に非純正品のコンテナ２００が装着されている状態で印刷ジョブを実行するとき、印字生産性の低下および画質低下を防ぐために、設定画面７００を必ず表示し、非純正トナー用の印刷設定をユーザーから受け付けてもよい。
【００５９】
＜不良率の報知＞
制御部１１０は、画像形成装置１００に非純正品のコンテナ２００が装着されている期間中に印刷した印刷枚数をカウントし、記憶部１２０に記憶させる。また、制御部１１０は、画像形成装置１００に非純正品のコンテナ２００が装着されている期間中に発生したジャムエラーの発生回数をカウントし、記憶部１２０に記憶させる。
【００６０】
また、制御部１１０は、画像形成装置１００に非純正品のコンテナ２００が装着されている期間中に、不良率を報知する時点として予め定められた不良率報知時点（「所定時点」に相当）になったか否かの判断を行う。そして、制御部１１０は、不良率報知時点になったと判断したとき、不良率を算出するための不良率算出処理を行う。
【００６１】
たとえば、制御部１１０は、画像形成装置１００に非純正品のコンテナ２００が装着されてからの印刷枚数が所定枚数に達したとき、不良率報知時点になったと判断し、不良率算出処理を行う。以降、制御部１１０は、不良率算出処理を前回行ってからの印刷枚数が所定枚数に達するごとに、不良率報知時点になったと判断し、不良率算出処理を行う。
【００６２】
あるいは、制御部１１０は、画像形成装置１００に非純正品のコンテナ２００が装着されてからの経過時間が所定時間に達したとき、不良率報知時点になったと判断し、不良率算出処理を行う。以降、制御部１１０は、不良率算出処理を前回行ってからの経過時間が所定時間に達するごとに、不良率報知時点になったと判断し、不良率算出処理を行う。
【００６３】
なお、画像形成装置１００に非純正品のコンテナ２００が装着されている期間中に、操作パネル７に対して所定操作が行われたことを制御部１１０が検知したとき、不良率報知時点になったと制御部１１０が判断するよう構成してもよい。
【００６４】
制御部１１０は、非純正品のコンテナ２００の装着期間中に不良率報知時点になったとき、画像形成装置１００に非純正品のコンテナ２００が装着された時点（ここでは非純正品装着時点と称する）から不良率報知時点までの印刷枚数を求める。また、制御部１１０は、非純正品装着時点から不良率報知時点までのジャムエラーの発生回数を求める。そして、制御部１１０は、非純正品装着時点から不良率報知時点までの印刷枚数に対するジャムエラーの発生回数の比率を非純正トナー使用時の不良率（「第１比率」に相当）として算出する。
【００６５】
非純正トナー使用時の不良率を算出した後、制御部１１０は、非純正トナー使用時の不良率を操作パネル７に報知させる。たとえば、操作パネル７は、図９に示すような報知画面７４０を表示し、非純正トナー使用時の不良率をユーザーに報知する。報知画面７４０には、非純正トナー使用時の不良率（図９では「□□％」で示す）を示す情報７４１が表示される。
【００６６】
さらに、純正トナー使用時の不良率（図９では「△△％」で示す）を示す情報７４２が報知画面７４０に表示されてもよい。たとえば、制御部１１０は、純正品のコンテナ２００が装着されている期間中（純正品装着期間中）の累積印刷枚数およびジャムエラーの累積発生回数を記憶部１２０に記憶させる。また、制御部１１０は、予め、純正品装着期間中の累積印刷枚数に対する純正品装着期間中のジャムエラーの累積発生回数の比率を純正トナー使用時の不良率（「第２比率」に相当）として算出し、記憶部１２０に記憶させる。そして、制御部１１０は、報知画面７４０の表示を操作パネル７に行わせるとき、非純正トナー使用時の不良率を示す情報７４１と共に、純正トナー使用時の不良率を示す情報７４２を表示させる。あるいは、図示しないが、画像形成装置１００の工場出荷前に取得した純正トナー使用時の不良率を記憶部１２０に予め記憶させておき、工場出荷前に取得した不良率を示す情報を報知画面７４０に表示してもよい。
【００６７】
なお、図示しないが、非純正トナー使用時のジャムエラーの発生回数を示す情報が報知画面７４０に表示されてもよい。また、純正トナー使用時のジャムエラーの累積発生回数を示す情報が報知画面７４０に表示されてもよい。
【００６８】
本実施形態では、上記のように、制御部１１０は、画像形成装置１００に非純正品のコンテナ２００を装着した状態で印刷ジョブを実行するとき、予め定められた複数の設定項目にそれぞれ対応する複数の設定画面７００（温度設定画面７０１など）を操作パネル７に順次表示させ、複数の設定画面７００にそれぞれ入力された複数の設定値に基づき印刷部２のジョブ実行時の動作を設定する。これにより、非純正トナーの仕様に適した条件で印刷部２が動作するように、印刷部２のジョブ実行時の動作を設定することができる。たとえば、定着部６の定着温度を非純正トナーの仕様に合わせて変更することができる。その結果、画像形成装置１００に装着されたコンテナ２００が非純正品であっても、ジョブ実行時にエラーが発生するのを抑制することができる。
【００６９】
また、本実施形態では、上記のように、制御部１１０は、設定画面７００に入力された設定値に基づき印刷部２のジョブ実行時の動作を設定した後、テスト印刷を行うか否かを選択する操作の受け付けを操作パネル７に行わせ、テスト印刷を行う旨の選択を操作パネル７が受け付けた場合、テスト印刷を印刷部２に実行させる。これにより、テスト印刷の結果に基づき、印刷ジョブの実行に際して入力した各設定値が適切か否かを判断することができる。
【００７０】
また、本実施形態では、上記のように、制御部１１０は、非純正トナー使用時の不良率を示す情報７４１および純正トナー使用時の不良率を示す情報７４２をそれぞれ配した報知画面７４０を操作パネル７に表示させる。これにより、容易に、非純正トナー使用時の不良率と純正トナー使用時の不良率とを比較することができる。たとえば、非純正トナー使用時の不良率と純正トナー使用時の不良率との比較結果に基づき、非純正品に対する複数の設定値が妥当か否かを判断することができる。
【００７１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００７２】
たとえば、画像形成装置１００に通信可能に接続される情報端末３００を「操作表示部」として機能させてもよい。すなわち、非純正トナー用の印刷設定の受け付け（設定画面７００の表示）を情報端末３００に行わせてもよい。この場合には、画像形成装置１００から操作パネル７を省略してもよい。
【符号の説明】
【００７３】
２  印刷部
６  定着部
７  操作パネル（操作表示部、報知部）
１００  画像形成装置
１１０  制御部
１２０  記憶部
１４０  リーダーライター（読取部）
２００  コンテナ
２０１  ＲＦＩＤタグ（記憶媒体）
【図１】
2018017894.tif 000003
【図２】
2018017894.tif 000004
【図３】
2018017894.tif 000005
【図４】
2018017894.tif 000006
【図５】
2018017894.tif 000007
【図６】
2018017894.tif 000008
【図７】
2018017894.tif 000009
【図８】
2018017894.tif 000010
【図９】
2018017894.tif 000011